(57)【特許請求の範囲】
【請求項１】
上側の透光フードと下側のポールとを繋ぎ合わせた構造の筒状の本体と、透光フードに内蔵される発光部と、透光フードの上面に所定の間隔を空けて取り付けられた保護カバーとを具備し、前記保護カバーの縁部には下方に垂下する垂下部が設けられ、前記垂下部は本体の側面との間に所定の間隔を空けられ、前記透光フードの上面には貫通孔が開設され、前記貫通孔には水蒸気は透過させるが、水は透過させないフィルタが設けられ、前記ポールの下面は発光部への給電ラインのために開放されていることを特徴とするスノーポール。
【発明の詳細な説明】
【０００１】
【発明の属する技術分野】
本発明は、自動車道路等の本線、路肩部分や中央分離帯に設置されるスノーポールに関する。
【０００２】
【従来の技術】
自発光式視線誘導灯は、運転者に路肩の位置を知らせるために、例えば自動車道路の路肩部分に５０ｍ間隔で設置されている。この自発光式視線誘導灯は、筒状の本体と、この本体の上方に内蔵される発光部とを有している。発光部が設けられた部分は透光性を有する素材で覆われている。この自発光式視線誘導灯には、特にスノーポールと称されるものがある。このスノーポールは、積雪地帯に設置されるものであって、除雪された雪に埋もれないように約２ｍの高さを有している。そして、このスノーポールの下端は、内蔵される発光部への給電ラインのために開放されている。
【０００３】
【発明が解決しようとする課題】
しかしながら、スノーポールには次のような問題点がある。
まず、スノーポールの下端は冬季には除雪された雪で埋もれてしまう。そして、本体の上部に設けられた発光部は発光するため、上部は熱く、下部は冷たくなる。このため、筒状の本体の内部で対流が生じ、湿った空気は上部に移動する。そして、外部と内部との気温差のため、内部に結露が生じる。その結露にほこりが付着して透過率の低下が発生する。また、結露が発光部を構成する各種の電気電子部品に悪影響を及ぼして最悪の場合には断線、ショートが生じる。
【０００４】
自動車道路では、視界の悪化は通行止めに直結する。このため、実際の視界は通行止めのレベルにまで達していなくても、透過率の低下により通行止めが行われることがある。断線の場合も同様である。特に、有料道路では料金収入にも直結する事態である。
【０００５】
本発明は上記事情に鑑みて創案されたものであって、透過率の低下や断線、ショートが生じないスノーポールを提供することを目的としている。
【０００６】
【課題を解決するための手段】
本発明に係るスノーポールは、上側の透光フードと下側のポールとを繋ぎ合わせた構造の筒状の本体と、透光フードに内蔵される発光部と、透光フードの上面に所定の間隔を空けて取り付けられた保護カバーとを具備し、前記保護カバーの縁部には下方に垂下する垂下部が設けられ、前記垂下部は本体の側面との間に所定の間隔を空けられ、前記透光フードの上面には貫通孔が開設され、前記貫通孔には水蒸気は透過させるが、水は透過させないフィルタが設けられ、前記ポールの下面は発光部への給電ラインのために開放されていることを特徴としている。
【０００７】
特に、前記貫通孔には、水蒸気は透過させるが、水は透過させないフィルタを設けることが有効である。
【０００８】
【発明の実施の形態】
図１は本発明の実施の形態に係るスノーポールの要部の概略的断面図、図２は本発明の実施の形態に係るスノーポールの要部の概略的斜視図である。
【０００９】
本発明の実施の形態に係るスノーポールは、上面１１１に貫通孔１１２が開設された筒状の本体１００と、前記貫通孔１１２に取り付けられるフィルタ２００と、前記本体１００の上方に内蔵される発光部３００と、前記本体１００の上面１１１に所定の間隔を空けて取り付けられた保護カバー４００とを備えており、前記保護カバー４００の縁部には下方に垂下する垂下部４１０が設けられており、前記垂下部４１０は本体１００の側面１１４（後述する透光フード１１０の側面１１４）との間に所定の間隔を空けており、前記フィルタ２００は、水蒸気は透過させるが、水は透過させない素材から構成されている。
【００１０】
前記本体１００は、例えば長さ２ｍの筒体である。この本体の下方は、内蔵する発光部３００への給電ライン（図示省略）の導入のために開放されている。また、この本体１００は、上部の透光フード１１０と、この透光フード１１０が取り付けられるポール１２０とから構成されている。
【００１１】
前記透光フード１１０は、発光部３００が収納される部分であって、透光性を有する素材から構成されている。また、この透光フード１１０は、上面１１１に複数個（図面では４つ）の貫通孔１１２が開設されている。さらに、透光フード１１０の上面１１１の中央には、雌ねじ（図示省略）が切られた突起部１１３が形成されている。
【００１２】
一方、前記ポール１２０は、２００ｍｍ毎に上方から白色、緑色、白色、緑色、白色、緑色の順に塗り分けられている。これは、積雪の深さのチェックのためである。なお、前記透光フード１１０は、このポール１２０に着脱可能になっている。
【００１３】
前記透光フード１１０の上面１１１に被せられる保護カバー４００は、縁部に下方に垂下する垂下部４１０が形成された円板である。かかる保護カバー４００の内径は、透光フード１１０に取り付けた場合に、透光フード１１０の側面１１４、すなわち本体１００との側面との間に間隔を空けるために、透光フード１１０の上面１１１の外径より大きく設定されている。また、この保護カバー４００には前記突起部１１３の雌ねじに対応する孔４２０が開設されている。
【００１４】
かかる保護カバー４００を透光フード１１０の上面にネジ（図示省略）で取り付けると、突起部１１３の高さ寸法に相当する分だけ、保護カバー４００と上面１１１との間に間隔が形成される。また、保護カバー４００の垂下部４１０と、透光フード１１０の側面１１４との間にも間隔が形成される。
【００１５】
前記上面１１１の貫通孔１１２には、水蒸気は透過させるが、水は透過させない素材からなるフィルタ２００が設けられている。かかる素材としては、例えば３Ｍ社製の『マイクロポーラスフィルムフィルタ（商標）』がある。この『マイクロポーラスフィルムフィルタ（商標）』は、特殊製法により製造された『マイクロポーラスフィルム（商標）』にドーナツ状のアクリル系両面接着テープを組み合わせた防水フィルタであって、空気透過性、防水性、防塵性等に優れた特性をもっている。かかる素材からなるフィルタ２００が貫通孔１１２に取り付けられるである。
【００１６】
前記発光部３００は、複数個の緑色及び橙色のＬＥＤランプ３１０が実装されたプリント基板３２０と、このプリント基板３２０に構成された点灯回に接続されたトランス３３０とを有している。そして、プリント基板３２０の部分のみが透光フード１１０の内部に位置するようになっている。
【００１７】
このように構成されたスノーポールであると、冬季に下端が除雪された雪で埋まり、その結果、発光部３００からの発熱で熱い上部と、雪で冷やされた冷たい下部との間で対流が生じても、上部に移動した湿った空気は、貫通孔１１２を介して外部に放出される。よって、上部における結露は発生せず、結露に伴うほこりの付着による透過率の低下が生じない。
【００１８】
具体的には、本体１００の外径が９０ｍｍである場合、上面１１１に直径９ｍｍの４つの貫通孔１１２を設けたところ、半年の実験で０．５％の透過率の低下が確認された。一方、従来と同様に上面１１１に貫通孔１１２を設けない場合には、半年の実験で２．０％の透過率の低下が確認された。なお、透過率の低下は、透光フード１１０の表面と裏面とを拭った状態での透過率を１００とした場合に、実験後の透光フード１１０の表面を拭った状態での透過率を計測して算出した。
【００１９】
上述した実施の形態では、貫通孔１１２にフィルタ２００を設けたが、フィルタ２００を設けないものでもよい。この場合には、半年の実験で１．０％の透過率の低下が確認された。
【００２０】
また、上述した実施の形態では、フィルタ２００として、３Ｍ社製の『マイクロポーラスフィルムフィルタ（商標）』を挙げたが、フィルタ２００がこれに限定されることはない。例えば、デュポン社製の『ゴアテックス（商標）フィルタ』等の水蒸気は透過させるが、水は透過させない素材であればよい。
【００２１】
さらに、発光部３００のＬＥＤランプ３１０は複数個の緑色及び橙色であるとしたが、これには限定されることなく、他の色のＬＥＤランプや他の光源を用いてもよいことは勿論である。
【００２２】
【発明の効果】
本発明に係るスノーポールは、上側の透光フードと下側のポールとを繋ぎ合わせた構造の筒状の本体と、透光フードに内蔵される発光部と、透光フードの上面に所定の間隔を空けて取り付けられた保護カバーとを具備し、前記保護カバーの縁部には下方に垂下する垂下部が設けられ、前記垂下部は本体の側面との間に所定の間隔を空けられ、前記透光フードの上面には貫通孔が開設され、前記貫通孔には水蒸気は透過させるが、水は透過させないフィルタが設けられ、前記ポールの下面は発光部への給電ラインのために開放されている。
【００２３】
かかるスノーポールであると、冬季に下端が除雪された雪で埋まり、その結果、発光部からの発熱で熱い上部と、雪で冷やされた冷たい下部との間で対流が生じても、上部に移動した湿った空気は、貫通孔を介して外部に放出される。よって、上部における結露は発生せず、結露に伴うほこりの付着による透過率の低下が生じない。また、結露に伴う断線、ショートも発生しない。特に、保護カバーには垂下部が設けられているため、横殴りの降雪があっても、貫通孔が雪で閉塞されることはないので、常に確実な水蒸気の除去が可能になる。
【００２４】
また、前記貫通孔に水蒸気は透過させるが、水は透過させないフィルタが設けられていると、たとえ何らかの原因で水が上面と保護カバーとの間に侵入しても、貫通孔からスノーポールの内部に水の侵入は起こりえない。このため、貫通孔からの水の侵入による透過率の低下や断線、ショート等は発生しない。
【００２５】
特に、このスノーポールは、本体の下方が開放されているスノーポールに有効である。すなわち、ポールの下面が開放されていることにより、本体の内部で対流が水分を含んだ空気の対流が発生するためである。
【図面の簡単な説明】
【図１】本発明の実施の形態に係るスノーポールの要部の概略的断面図である。
【図２】本発明の実施の形態に係るスノーポールの要部の概略的斜視図である。
【符号の説明】
１００  本体
１１１  上面
１１２  貫通孔
２００  フィルタ
３００  発光部
４００  保護カバー
４１０  垂下部
【図１】
0003638904.tif 000002
【図２】
0003638904.tif 000003